【手続補正書】
【提出日】平成19年3月23日(2007.3.23)
【手続補正１】
【補正対象書類名】明細書
【補正対象項目名】全文
【補正方法】変更
【補正の内容】
【書類名】  明細書
【発明の名称】  画像形成装置
【特許請求の範囲】
【請求項１】  複数の形式のデータを含むデータファイルを受信するデータ受信手段と、
前記データファイルから印刷可能なデータを抽出する印刷可能データ抽出手段と、
前記印刷可能データ抽出手段によって抽出されたデータを印刷する印刷手段と、
を有する画像形成装置。
【請求項２】  画像形成装置に着脱可能に設けられ、複数のデータ形式のデータを記憶する記憶媒体と、
複数の形式のデータを含むデータファイルを受信するデータ受信手段と、
前記データファイルから印刷可能なデータを抽出する印刷可能データ抽出手段と、
前記データファイルから印刷できないデータを抽出する印刷不可能データ抽出手段と、
前記印刷可能データ抽出手段によって抽出された印刷可能なデータを印刷する印刷手段と、
前記印刷不可能データ抽出手段によって抽出された印刷できないデータを前記記憶媒体に格納する書き込み手段と、
を有する画像形成装置。
【請求項３】  請求項１または２記載の画像形成装置であって、
前記印刷可能データ抽出手段は、前記データファイルに格納されたヘッダ情報に基づいて印刷可能なデータを抽出する画像形成装置。
【請求項４】  請求項１または２記載の画像形成装置であって、
前記印刷可能なデータを、静止画データまたは文字データとした画像形成装置。
【請求項５】  請求項２記載の画像形成装置であって、
前記印刷できないデータを、音声データ、動画データとした画像形成装置。
【請求項６】  請求項１記載の画像形成装置であって、
前記画像形成装置に着脱可能に設けられ、複数のデータ形式のデータを記憶する記憶媒体と、
前記記憶媒体にデータを格納する書き込み手段を有し、
前記印刷可能なデータを前記記憶媒体に書き込むようにした画像形成装置。
【請求項７】  請求項２記載の画像形成装置であって、
前記記憶媒体に、更に印刷可能なデータを書き込むようにした画像形成装置。
【発明の詳細な説明】
【０００１】
【発明の属する技術分野】
本発明は、プリンタやマルチファンクションプリンタ、およびディジタル複写機への入力データの動作を制御する画像形成装置に関する。
【０００２】
【従来の技術】
近年、動画データ、音声データ、静止画、文字データ等の様々な形式のデータが１つにまとめられて使用される機会が増えてきた。
【０００３】
そして、プリンタはこのように様々な形式を含むデータから印刷データのみを印刷することができないため、ホストＰＣ側で印刷データを抽出して印刷を実行している。
【０００４】
【発明が解決しようとする課題】
このような従来の画像形成装置では、動画データ、音声データ、静止画、文字データ等の様々な形式のデータが１つにまとまってプリンタへ送られたときには、データ形式が不適切といった対応をしなければならない。
【０００５】
また、様々な形式のデータを記憶するときには、これらのデータを個別に記憶媒体へ記憶しなければならない。
【０００６】
そこで、本発明は、複数の形式のデータから印刷データのみを抽出し印刷を行うことができる画像形成装置を提供することを目的とする。
【０００７】
また、本発明は、印刷データ以外のデータを自動的に記憶媒体へ記憶することのできる画像形成装置を提供することを目的とする。
【０００８】
【課題を解決するための手段】
この課題を解決するために、本発明の画像形成装置は、複数の形式のデータを含むデータファイルを受信するデータ受信手段と、データファイルから印刷可能なデータを抽出する印刷可能データ抽出手段と、印刷可能データ抽出手段によって抽出されたデータを印刷する印刷手段と、を有する構成としたものである。
【０００９】
これにより、複数の形式のデータを含む（即ち各形式のデータが１つのファイルにまとめられた）データファイルから印刷が可能なデータのみを抽出して印刷を行うことが可能になる。
【００１０】
また、印刷データ以外のデータを自動的に記憶媒体へ記憶することが可能になる。
【００１１】
【発明の実施の形態】
本発明の画像形成装置は、複数の形式のデータを含むデータファイルを受信するデータ受信手段と、データファイルから印刷可能なデータを抽出する印刷可能データ抽出手段と、印刷可能データ抽出手段によって抽出されたデータを印刷する印刷手段とを有する画像形成装置であり、複数の形式のデータから印刷データのみを抽出して印刷を行うことが可能になるという作用を有する。
また本発明は、画像形成装置に着脱可能に設けられ、複数のデータ形式のデータを記憶する記憶媒体と、複数の形式のデータを含むデータファイルを受信するデータ受信手段と、データファイルから印刷可能なデータを抽出する印刷可能データ抽出手段と、データファイルから印刷できないデータを抽出する印刷不可能データ抽出手段と、印刷可能データ抽出手段によって抽出された印刷可能なデータを印刷する印刷手段と、印刷不可能データ抽出手段によって抽出された印刷できないデータを記憶媒体に格納する書き込み手段と、を有するものである。
これによって、複数の形式のデータから印刷データのみを抽出して印刷を行うことが可能になるとともに、印刷データ以外のデータを自動的に記憶媒体へ記憶することが可能になるという作用を有する。
また本発明は、印刷可能データ抽出手段は、データファイルに格納されたヘッダ情報に基づいて印刷可能なデータを抽出するようにしたものである。これによって、印刷が可能なデータを抽出することが可能となる。
また本発明は、印刷可能なデータを、静止画データまたは文字データとしたものである。これによって、データファイルから抽出された静止画データまたは文字データを印刷することが可能となる。
また本発明は、印刷できないデータを、音声データ、動画データとしたものである。これによって、データファイルから抽出された音声データ、動画データは印刷に供されることなく、着脱可能な記憶媒体に格納することが可能となる。
【００１２】
また本発明は、記憶媒体に、更に印刷可能なデータを書き込むようにしたものである。これによって、印刷データをも自動的に記憶媒体へ記憶することが可能になるという作用を有する。
【００１３】
以下、本発明の実施の形態について、図１から図３を用いて説明する。
【００１４】
図１は本発明の一実施の形態である画像形成装置を示すブロック図、図２は図１の画像形成装置におけるデータ構成を示す説明図、図３は図１の画像形成装置におけるファイルの読み込みから終了までの処理の流れを示すフローチャートである。
【００１５】
図１に示すように、本実施の形態の画像形成装置であるプリンタ２は、ホストコンピュータやプリントサーバなどから送られた静止画データ４、文字データ５および音声データ６を保持するデータ転送装置１から転送されるこれらのデータを処理するもので、プリンタ２に着脱可能に設けられて複数のデータ形式を記憶する記憶媒体３と、データ転送装置１から送られたデータを受信するデータ受信手段７と、データ受信手段７で受信したデータを制御する制御手段８と、後述する印刷可能データ抽出手段１０で抽出された印刷データを受信する印刷ジョブ受信手段１２と、データ受信手段７で受信された全てのデータを送信する送信手段１３と、送信手段１３から送信されたデータの中から印刷データについて印刷を行う印刷手段１４と、送信手段１３から送信されたデータの中から印刷のできないデータを記憶媒体３に格納する書き込み手段１５とを備えている。
【００１６】
ここで、制御手段８は、データ受信手段７で受信したデータを形式（つまり、静止画データ４、文字データ５、音声データ６）別に分離する分離手段９と、分離手段９で分離されたデータから印刷可能なデータを抽出する印刷可能データ抽出手段１０と、分離手段９で分離されたデータから印刷のできないデータを抽出する印刷不可能データ抽出手段１１とからなる。
【００１７】
なお、データの形式は本実施の形態に限定されるものではなく、種々の形式を適用することができる。
【００１８】
次に、本実施の形態のプリンタ２の動作について説明する。
【００１９】
データ転送装置１に格納されている静止画データ４、文字データ５および音声データ６などのデータは、プリンタ２でのデータ分離のための識別情報をその先頭に持っている。
【００２０】
これらのデータがデータ受信手段７へ送られると、分離手段９により各データが形式毎に分離される。
【００２１】
次に、分離手段９で分離されたデータから、識別情報を基にして印刷可能データ抽出手段１０を使用して印刷可能データを抽出する。これと同時に、印刷不可能データ抽出手段１１を使用して印刷不可能なデータを抽出する。
【００２２】
印刷可能データ抽出手段１０で抽出されたデータは印刷ジョブとして印刷ジョブ受信手段１２で印刷ジョブを受信し、印刷手段１４へ印刷ジョブを発行する。また、印刷不可能データ抽出手段１１で抽出されたデータは送信手段１３を使用して記憶媒体３へ送られる。そして、記憶媒体３では、書き込み手段１５を使用してこれらのデータが書き込まれる。
【００２３】
ここで、データ転送装置１からプリンタ２に転送されるデータの構成を図２に示す。図示するように、データは、各文字や音声などのデータを識別するヘッダ情報と各文字や音声などのデータと各データの終了情報とで構成されている。
【００２４】
次に、データ受信手段７で受信したファイルの読み込みから終了までの処理の流れを図３のフローチャートに従って説明する。
【００２５】
先ず、データ転送装置１から転送された複数のデータを分離し、１つのヘッダ情報からデータＥＮＤまでを読み込む（ステップＳ２１）。
【００２６】
次に、各文字や音声などのデータを識別するヘッダ情報を取得する（ステップＳ２２）。
【００２７】
次に、ヘッダ情報がＦｉｌｅＥｎｄ（ファイルの終了）かどうかを判断し（ステップＳ２３）、ＦｉｌｅＥｎｄのときはそのまま終了する。一方、ステップＳ２３でヘッダ情報がＦｉｌｅＥｎｄ（ファイルの終了）以外のときは、ヘッダ情報が静止画（印刷可能データ）かどうかの判定を行う（ステップＳ２４）。
【００２８】
そして、ステップＳ２４においてヘッダ情報が静止画データのときには、データＥＮＤまでの情報を転送して印刷処理を行う（ステップＳ２６）。一方、ステップＳ２４でヘッダ情報が静止画データでないときには、ヘッダ情報が文字データ（印刷可能データ）かどうかの判定を行う（ステップＳ２５）。
【００２９】
そして、ステップＳ２５においてヘッダ情報が文字データのときには、データＥＮＤまでの情報を転送して印刷処理を行う（ステップＳ２６）。一方、ステップＳ２５においてヘッダ情報が文字データでないときには、当該データをヘッダ情報からデータＥＮＤ（データの終了）まで記憶媒体３へ書き込む（ステップＳ２７）。
【００３０】
ステップＳ２６の印刷処理またはステップＳ２７の記憶媒体３へのデータ書き込みが終了したならば、ステップＳ２１へ戻りって次のデータのヘッダ情報からデータＥＮＤまでを読み込む。
【００３１】
そして、ステップＳ２３においてヘッダ情報がＦｉｌｅＥｎｄ（ファイルの終了）になるまでステップＳ２１からステップＳ２７までの処理を繰り返す。
【００３２】
このようなファイルに対する一連の処理を行うことにより、入力された複数のデータから、印刷可能なデータは印刷処理を行い、印刷不可能なデータは着脱可能な記憶媒体へ記憶することができる。
【００３３】
なお、印刷可能なデータも記憶媒体３へ格納してデータの保存を行い、他のプリンタ装置でも印刷を行うようにしてもよい。この場合には、図３のステップＳ２６の印刷処理の後、ステップＳ２７に移行して記憶媒体３へデータ書き込みを行えばよい。
【００３４】
【発明の効果】
以上のように、本発明によれば、複数の形式のデータを含むデータファイルから印刷データのみを抽出して印刷を行うことが可能になるという有効な効果が得られる。
【００３５】
また、本発明によれば、印刷データ以外のデータを自動的に記憶媒体へ記憶することが可能になるという有効な効果が得られる。
【００３６】
印刷のできないデータに加えて印刷可能なデータも記憶媒体に格納するようにすれば、印刷データをも自動的に記憶媒体へ記憶することが可能になるという有効な効果が得られる。
【図面の簡単な説明】
【図１】
本発明の一実施の形態である画像形成装置を示すブロック図
【図２】
図１の画像形成装置におけるデータ構成を示す説明図
【図３】
図１の画像形成装置におけるファイルの読み込みから終了までの処理の流れを示すフローチャート
【符号の説明】
２  プリンタ（画像形成装置）
３  記憶媒体
７  データ受信手段
８  制御手段
９  分離手段
１０  印刷可能データ抽出手段
１１  印刷不可能データ抽出手段
１２  印刷ジョブ受信手段
１３  送信手段
１４  印刷手段
１５  書き込み手段